(57)【要約】      （修正有） 【課題】重量物である幅木を用いずに、作業者の墜落防止や物体の落下防止を図ることのできる仮設足場を提供する。【解決手段】仮設足場は、少なくとも作業床２、建枠及び下桟３を備えている。作業床２と下桟３の間に予備下桟５が固定されている。下桟３と予備下桟５の間には、ネット又はシート６が張設されている。予備下桟５は、その両端に設けられた固定具によって建枠１に固定されているのが好ましい。ネット又はシート３の張設は、ネット又はシート３の長手両端縁近傍に設けられた鳩目孔７にロープ８を通して、下桟３及び予備下桟５に緊締させればよい。また、ネット又はシート３の長手両端に設けられた筒状部に、予備下桟５及び下桟３を挿入して張設してもよい。【選択図】図２
0003154576.tif 000002
【実用新案登録請求の範囲】
【請求項１】
少なくとも作業床、建枠及び下桟を備えた仮設足場において、該作業床と該下桟の間に予備下桟を固定すると共に、該下桟と該予備下桟の間にネット又はシートを張設することを特徴とする仮設足場の下桟への付加構造。
【請求項２】
予備下桟の両端に設けられた固定具によって、予備下桟が建枠に固定されている請求項１記載の仮設足場の下桟への付加構造。
【請求項３】
固定具がフックである請求項２記載の仮設足場の下桟への付加構造。
【請求項４】
ネット又はシートの長手両端縁近傍に鳩目孔が設けられており、ロープを鳩目孔に通して下桟及び予備下桟に緊締してなる請求項１乃至３のいずれか一項に記載の仮設足場の下桟への付加構造。
【請求項５】
ネット又はシートの長手一端縁近傍に鳩目孔が設けられており、ロープを鳩目孔に通して下桟に緊締すると共に、予備下桟は該ネット又はシートに覆われている請求項１乃至３のいずれか一項に記載の仮設足場の下桟への付加構造。
【請求項６】
下桟及び予備下桟共に、ネット又はシートに覆われている請求項１乃至３のいずれか一項に記載の仮設足場の下桟への付加構造。
【請求項７】
仮設足場が、作業床、建枠及び下桟の他に、手すり、中桟又は交差筋違を備えている請求項１乃至６のいずれか一項に記載の仮設足場の下桟への付加構造。
【請求項８】
請求項１乃至７のいずれか一項に記載の仮設足場の下桟への付加構造を形成するために用いる製品であって、予備下桟及び下桟と該予備下桟の間に張設するためのネット又はシートよりなる製品。
【請求項９】
予備下桟の両端には固定具が設けられている請求項８記載の製品。
【考案の詳細な説明】
【技術分野】
【０００１】
本考案は、建設現場に設置される仮設足場の下桟への付加構造に関し、特に仮設足場の作業床と下桟の間に付加する構造に関するものである。
【背景技術】
【０００２】
従来より、建設現場では仮設足場を設置して建築作業が行われている。仮設足場としては、枠組足場、単管足場又はくさび緊結式足場等の各種足場が用いられている。これらの仮設足場は、基本的には建枠と作業床とで構成されているが、作業者の墜落防止のために手すりが設けられたり、また物体の落下防止のためにメッシュシートや防網が設けられたりしている。
【０００３】
しかしながら、このような措置では、作業者の墜落や物体の落下を十分に防止できないのが現実であった。そこで、近年、作業者の墜落防止のため、枠組足場に交差筋違、下桟又は手すり枠等を設けたり、枠組足場以外の単管足場やくさび緊結式足場等にあっては、中桟等を設けることが行われている。なお、特許文献１には、墜落防止のために下桟を設けることが記載されているが、専ら下桟の装着方法に関して記載されているだけである。
【０００４】
また、作業者の墜落防止や物体の落下防止のために、作業床の両端に金属製又は木製の幅木を設けることも行われている。幅木は長さが約１〜２ｍで幅が１５ｃｍ以上のものであるため、その重量は軽くても約４ｋｇ以上である。したがって、かかる重量物を作業床の上に運び込んで建枠や作業床に装着しなければならず、足場の設置作業が合理的に行えないという憾みがあった。
【０００５】
【特許文献１】実用新案登録第３１５１９３７号公報
【考案の開示】
【考案が解決しようとする課題】
【０００６】
本考案の課題は、重量物である幅木を用いずに、作業者の墜落防止や物体の落下防止を図ることのできる仮設足場を提供することにある。
【課題を解決するための手段】
【０００７】
本考案は、足場に設置された下桟を利用して、上記課題を解決したものである。すなわち、本考案は、少なくとも作業床、建枠及び下桟を備えた仮設足場において、該作業床と該下桟の間に予備下桟を固定すると共に、該下桟と該予備下桟の間にネット又はシートを張設することを特徴とする仮設足場の下桟への付加構造に関するものである。
【０００８】
図１は、従来の仮設足場の一例を示した模式図である。１は建枠、２は作業床、３は下桟及び４は交差筋違である。下桟３は作業床２の上方１５〜４０ｃｍの位置に設置するよう労働安全衛生規則で定められている。したがって、作業床２と下桟３の間には、１５〜４０ｃｍの隙間があるので、この隙間から、作業者が墜落したり物体が落下する恐れがある。なお、図１では建枠１、作業床２、下桟３及び交差筋違４より構成される仮設足場を示したが、交差筋違４を設けない仮設足場であってもよい。また、交差筋違４に代えて又は交差筋違４と共に、手すり、中桟或いは手すり枠等を設けた仮設足場であってもよい。
【０００９】
本考案では、作業床２と下桟３との間に予備下桟５を設ける。予備下桟５は、下桟３と同様のものを採用すればよい。すなわち、その長さ、直径及び材質等は下桟３と同様であってよく、一般的には金属製パイプが用いられる。予備下桟５は、一般的に作業床２上に近接して設けられ、作業床２の上面に接触していてもよい。したがって、予備下桟５は、下桟３の下方に設けられる。
【００１０】
予備下桟５は、建枠１又は作業床２等に装着されて固定される。予備下桟５は下桟３と同様の方法で建枠１に固定してもよい。また、予備下桟５の両端に固定具９を設けておき、この固定具９を建枠１に装着して固定してもよい。固定具９としては、装着の容易なフック９を用いるのがよい。
【００１１】
そして、下桟３と予備下桟５の間に、ネット又はシート６を張設する。ネット又はシート６は、編物製又は織物製であって、工具等の物体が通過しない程度の目の粗さを持ったものが採用される。具体的には、角目や菱目の場合、目の一辺の長さが１００ｍｍ以下のものが採用される。したがって、従来用いられているメッシュシートや防網等も、ネット又はシート６として採用することもできる。
【００１２】
ネット又はシート６の張設形態としては、図２〜図５に示される任意の形態が採用される。図２は、その長手両端縁近傍に鳩目孔７を設けたネット又はシート６を用いて張設した形態である。すなわち、ネット又はシート６の長手両端縁近傍に設けられた鳩目孔７にロープ８を通し、このロープ８を下桟３及び予備下桟５に緊締した形態となっている。
【００１３】
図３は、その長手一端縁近傍に鳩目孔７を設けたネット又はシート６を用いて張設した形態である。すなわち、ネット又はシート６の長手一端縁近傍に設けられた鳩目孔７にロープ８を通し、このロープ８を下桟３に緊締した形態となっている。そして、予備下桟５は、ネット又はシート６の長手他端に挿入され、ネット又はシート６で覆われている。予備下桟５をネット又はシート６の長手他端に挿入するには、ネット又はシート６の長手端縁を折り返し縫製して筒状部を形成しておけばよい。すなわち、予め形成された筒状部に、予備下桟５を挿入した後、この予備下桟５を固定すればよい。
【００１４】
図４は、下桟３及び予備下桟５共に、ネット又はシート６の長手両端に設けられた筒状部に挿入されて、覆われている形態を示したものである。筒状部を形成する方法は前記したとおりである。図５は、図４における張設形態において、予備下桟５の両端に固定具（フック）６を設けたものである。なお、図２及び図３の張設形態においても、予備下桟５の両端に固定具（フック）６を設けてもよいことは、いうまでもない。
【００１５】
本考案は、前記した仮設足場の下桟への付加構造を作成するための製品をも含むものである。すなわち、予備下桟５とネット又はシート６との組み合わせ製品をも含むものである。
【００１６】
かかる製品を作業床２上へ運搬し、予備下桟５を下桟３と作業床２の間に装着固定する。そして、ネット又はシート６の長手両端縁近傍に設けられた鳩目孔７にロープ８を通して、このロープ８を下桟３及び予備下桟５に緊締する。これによって、ネット又はシート６が下桟３と予備下桟５の間に張設され、図２に示した下桟への付加構造を実現することができる。
【００１７】
また、ネット又はシート６の長手他端に筒状部が設けられているときは、この筒状部に予備下桟５を挿入した後、予備下桟５を下桟３と作業床２の間に装着固定する。そして、ネット又はシート６の長手一端縁近傍に設けられた鳩目孔７にロープ８を通して、このロープ８を下桟３に緊締する。これによって、ネット又はシート６が下桟３と予備下桟５の間に張設され、図３に示した下桟への付加構造を実現することができる。
【００１８】
また、ネット又はシート６の長手両端に筒状部が設けられているときは、一方の筒状部には下桟３を他方の筒状部には予備下桟５を挿入する。そして、下桟３を所定の位置に設置すると共に予備下桟５を装着固定すると、ネット又はシート６が下桟３と予備下桟５の間に張設され、図４に示した下桟への付加構造を実現することができる。なお、本考案に係る製品中の予備下桟５は、その両端に固定具（フック）６が設けられているものを採用してもよい。
【考案の効果】
【００１９】
本考案は、下桟と作業床の間に予備下桟を設け、下桟と予備下桟の間にネット又はシートを張設した構造となっている。したがって、下桟と作業床の間に隙間ができず、作業者が墜落したり、工具等の物体が落下するのを防止することができる。また、予備下桟は下桟と同様であって、幅木のように重くないので、作業床へ搬送して装着するのも容易であるという効果を奏する。
【図面の簡単な説明】
【００２０】
【図１】従来の仮設足場の一例を示した模式図である。
【図２】本考案の一例に係る仮設足場の下桟への付加構造を示す模式図である。
【図３】本考案の一例に係る仮設足場の下桟への付加構造を示す模式図である。
【図４】本考案の一例に係る仮設足場の下桟への付加構造を示す模式図である。
【図５】本考案の一例に係る仮設足場の下桟への付加構造を示す模式図である。
【符号の説明】
【００２１】
１  建枠
２  作業床
３  下桟
４  交差筋違
５  予備下桟
６  ネット又はシート
７  鳩目孔
８  ロープ
９  固定具（フック）
【図１】
0003154576.tif 000003
【図２】
0003154576.tif 000004
【図３】
0003154576.tif 000005
【図４】
0003154576.tif 000006
【図５】
0003154576.tif 000007